(57)【要約】      （修正有）【課題】遊技台を構成する基板ケースに外力が加わった場合においても破損を防止できる遊技台を提供する。【解決手段】遊技用の制御基板７２４を収容する左側基板ケース７２０を備えた遊技台において、左側基板ケース７２０には、左側基板ケースの少なくとも１面に曲面７２７ａまたは７２７ｂが形成されている。曲面は基板ケース内部方向または外部方向に形成される。また、前記曲面を所定の形状、所定の間隔で形成する事により、基板ケースの把持を容易にする。【選択図】図７
2009254724.tif 000002
【特許請求の範囲】
【請求項１】
遊技用基板を収容する基板ケースを備えた遊技台において、
前記基板ケースは、少なくとも１つの面に曲面が形成されていることを特徴とする遊技台。
【請求項２】
前記基板ケースは、複数の角部を結ぶことで形成される複数の面で構成され、
前記曲面は、前記複数の面のうち、いずれかの面であることを特徴とする、
請求項１に記載の遊技台。
【請求項３】
前記基板ケースは、第１の曲面と、該第１の曲面と対向して形成された第２の曲面と、を有することを特徴とする、
請求項１又は２に記載の遊技台。
【請求項４】
前記曲面は、前記基板ケースの長手方向に対する側面側に形成されていることを特徴とする、
請求項１乃至３のいずれか１項に記載の遊技台。
【請求項５】
前記第１の曲面は、１又は複数形成され、
前記第２の曲面は、１又は複数形成され、
前記基板ケースを取り扱う際に、前記基板ケースを把持し易いように、前記第１の曲面及び前記第２の曲面を所定の形状または間隔で形成していることを特徴とする、
請求項３に記載の遊技台。
【請求項６】
前記遊技用基板には、外形の少なくとも一部が湾曲して形成された回路部品が実装され、
前記曲面は、前記回路部品の外形に沿った曲面であることを特徴とする、
請求項１乃至５のいずれか１項に記載の遊技台。
【請求項７】
前記曲面は、該曲面を形成する角部を平面となるように結んで形成される仮想平面に対して、基板ケース内部方向に窪んだ凹形状であることを特徴とする、
請求項２乃至６のいずれか１項に記載の遊技台。
【請求項８】
前記曲面は、該曲面を形成する角部を平面となるように結んで形成される仮想平面に対して、基板ケースの外側に突出した凸形状であることを特徴とする、
請求項２乃至６のいずれか１項に記載の遊技台。
【請求項９】
前記仮想平面は、前記基板ケースの前記取り付け又は取り外し方向と平行な面であることを特徴とする、請求項７又は８に記載の遊技台。
【請求項１０】
前記曲面は、前記基板ケースの取付け面に対して垂直方向に設けられた側面側に形成されていることを特徴とする、
請求項１乃至９のいずれか１項に記載の遊技台。
【請求項１１】
前記曲面は、前記基板ケースの取付け面と対向する側に形成されていることを特徴とする、
請求項１乃至１０のいずれか１項に記載の遊技台。
【請求項１２】
前記曲面は、前記基板ケースの取付け面に形成されていることを特徴とする、
請求項１乃至１１のいずれか１項に記載の遊技台。
【請求項１３】
前記曲面は、最外面に形成されていることを特徴とする、
請求項１乃至１２のいずれか１項に記載の遊技台。
【請求項１４】
前記基板ケースは、前記遊技用基板に実装される回路部品を該基板ケースの外部に露出するための凹部を備え、
前記凹部には、該凹部の少なくとも１つの面に曲面が形成されていることを特徴とする、
請求項１乃至１３のいずれか１項に記載の遊技台。
【請求項１５】
前記基板ケースは、球形状であることを特徴とする、
請求項１乃至１４のいずれか１項に記載の遊技台。
【請求項１６】
前記曲面には、複数の放熱穴が設けられていることを特徴とする、
請求項１乃至１５のいずれか１項に記載の遊技台。
【請求項１７】
前記放熱穴の長さは、前記基板ケースの肉厚と略一致していることを特徴とする、
請求項１６に記載の遊技台。
【請求項１８】
前記放熱穴は、下側穴と、上側穴からなり、
前記下側穴と前記上側穴は、軸方向の少なくとも一部において連通するように配置され、
前記下側穴の長さと前記上側穴の長さを加えた穴長さは、複数の放熱穴で全て同じであること特徴とする、
請求項１６又は１７に記載の遊技台。
【発明の詳細な説明】
【技術分野】
【０００１】
本発明は、パチンコやスロットマシンなどに代表される遊技台に関する。
【背景技術】
【０００２】
従来、パチンコ機などに代表される遊技台は、発射装置から球を発射し、所定の遊技領域に設けられた所定の入賞口に入球することで、所定の利益を獲得できるように構成されている。このような遊技台において、所定の遊技用基板（例えば、遊技台の主制御を行う主制御基板等）を保護するために、遊技用基板を被覆する基板ケースが開発されている。また、このような基板ケースの取付け位置を容易に変更できるようにした遊技台も提供されている（例えば、特許文献１参照）。
【特許文献１】特開２００７−２２９２４２号公報
【発明の開示】
【発明が解決しようとする課題】
【０００３】
しかしながら、前述した特許文献１に開示されている発明は、基板ケースを構成する面が平面のみで構成されているため、加えられた力を受け流し難く、基板ケースを破壊してしまう可能性が高いという問題があった。
【０００４】
本発明は、斯かる実情に鑑み、遊技台を構成する基板ケースの破損の可能性を低下し得る遊技台を提供するものである。
【課題を解決するための手段】
【０００５】
（１）本発明は、遊技用基板を収容する基板ケースを備えた遊技台において、前記基板ケースは、少なくとも１つの面に曲面が形成されていることを特徴とする遊技台である。
【０００６】
（２）また、本発明は、前記基板ケースは、複数の角部を結ぶことで形成される複数の面で構成され、前記曲面は、前記複数の面のうち、いずれかの面であることを特徴とする、（１）に記載の遊技台である。
【０００７】
（３）また、本発明は、前記基板ケースは、第１の曲面と、該第１の曲面と対向して形成された第２の曲面と、を有することを特徴とする、（１）又は（２）に記載の遊技台である。
【０００８】
（４）また、本発明は、前記曲面は、前記基板ケースの長手方向に対する側面側に形成されていることを特徴とする、（１）乃至（３）のいずれかに記載の遊技台である。
【０００９】
（５）また、本発明は、前記第１の曲面は、１又は複数形成され、前記第２の曲面は、１又は複数形成され、前記基板ケースを取り扱う際に、前記基板ケースを把持し易いように、前記第１の曲面及び前記第２の曲面を所定の形状または間隔で形成していることを特徴とする、（３）に記載の遊技台である。
【００１０】
（６）また、本発明は、前記遊技用基板には、外形の少なくとも一部が湾曲して形成された回路部品が実装され、前記曲面は、前記回路部品の外形に沿った曲面であることを特徴とする、（１）乃至（５）のいずれかに記載の遊技台である。
【００１１】
（７）また、本発明は、前記曲面は、該曲面を形成する角部を平面となるように結んで形成される仮想平面に対して、基板ケース内部方向に窪んだ凹形状であることを特徴とする、（２）乃至（６）のいずれかに記載の遊技台である。
【００１２】
（８）また、本発明は、前記曲面は、該曲面を形成する角部を平面となるように結んで形成される仮想平面に対して、基板ケースの外側に突出した凸形状であることを特徴とする、（２）乃至（６）のいずれかに記載の遊技台である。
【００１３】
（９）また、本発明は、前記仮想平面は、前記基板ケースの前記取り付け又は取り外し方向と平行な面であることを特徴とする、（７）又は（８）に記載の遊技台である。
【００１４】
（１０）また、本発明は、前記曲面は、前記基板ケースの取付け面に対して垂直方向に設けられた側面側に形成されていることを特徴とする、（１）乃至（９）のいずれかに記載の遊技台である。
【００１５】
（１１）また、本発明は、前記曲面は、前記基板ケースの取付け面と対向する側に形成されていることを特徴とする（１）乃至（１０）のいずれかに記載の遊技台である。
【００１６】
（１２）また、本発明は、前記曲面は、前記基板ケースの取付け面に形成されていることを特徴とする、（１）乃至（１１）のいずれかに記載の遊技台である。
【００１７】
（１３）また、本発明は、前記曲面は、最外面に形成されていることを特徴とする、（１）乃至（１２）のいずれかに記載の遊技台である。
【００１８】
（１４）また、本発明は、前記基板ケースは、前記遊技用基板に実装される回路部品を該基板ケースの外部に露出するための凹部を備え、前記凹部には、該凹部の少なくとも１つの面に曲面が形成されていることを特徴とする、（１）乃至（１３）のいずれかに記載の遊技台である。
【００１９】
（１５）また、本発明は、前記基板ケースは、球形状であることを特徴とする、（１）乃至（１４）のいずれかに記載の遊技台である。
【００２０】
（１６）また、本発明は、前記曲面には、複数の放熱穴が設けられていることを特徴とする、（１）乃至（１５）のいずれかに記載の遊技台である。
【００２１】
（１７）また、本発明は、前記放熱穴の長さは、前記基板ケースの肉厚と略一致していることを特徴とする、（１６）に記載の遊技台である。
【００２２】
（１８）また、本発明は、前記放熱穴は、下側穴と、上側穴からなり、前記下側穴と前記上側穴は、軸方向の少なくとも一部において連通するように配置され、前記下側穴の長さと前記上側穴の長さを加えた穴長さは、複数の放熱穴で全て同じであること特徴とする、（１６）又は（１７）に記載の遊技台である。
【発明の効果】
【００２３】
基板ケースの破損の可能性を低下し得る遊技台を提供できるという優れた効果を奏し得る。
【発明を実施するための最良の形態】
【００２４】
以下、図面を用いて、本発明の実施例に係るパチンコ機（遊技台）について詳細に説明する。
【００２５】
まず、図１を用いて、本発明の実施例１に係るパチンコ機１００の全体構成について説明する。なお、同図はパチンコ機１００を正面側（遊技者側）から見た外観斜視図である。
【００２６】
パチンコ機１００は、ガラス製または樹脂製の透明板部材１５２および透明部材保持枠１５４からなる扉部材１５６の奥側にガラスを通して視認可能に配設した後述する遊技盤(盤面)１０２を備えている。
【００２７】
扉部材１５６の下方には、後で説明する発射モータ６０２によって回動する発射杆１３８と、この発射杆１３８の先端部に取り付けて球を後述する遊技領域１０４に向けて打ち出す発射槌１４０と、この発射槌１４０によって打ち出す球を後述する外レール１０６に導くための発射レール１４２と、球を一時的に貯留すると共に、貯留している球を順次、発射レール１４２に供給するための貯留皿１４４と、遊技者による押下操作が可能であり、所定の時期にその操作を検出した場合に後述する装飾図柄表示装置１１０等による演出表示を変化させるためのチャンスボタン１４６を配設している。
【００２８】
また、発射杆１３８および発射槌１４０の下方には、発射杆１３８を制御して遊技領域１０４に向けて球の発射強度の操作を行うための操作ハンドル１４８を配設していると共に、貯留皿１４４の下方には、貯留皿１４４に貯留できない溢れ球を貯留するための下皿１５０を設けている。
【００２９】
また、前述した遊技盤１０２や発射モータ６０２、発射杆１３８及び発射槌１４０等を内設し、前述した扉部材１５６と係着する内枠１６０と、この内枠１６０とヒンジ１５８で連結された外枠１７０が設けられている。内枠１６０は、ヒンジ１５８を軸として外枠１７０に対して開閉方向に回転可能に構成されている。
【００３０】
図２は、遊技盤１０２を正面から見た略示正面図である。
【００３１】
遊技盤１０２には、外レール１０６と内レール１０８とを配設し、遊技球（以下、単に「球」と称する場合がある。）が転動可能な遊技領域１０４を区画形成している。
【００３２】
遊技領域１０４の略中央には、演出装置２００を配設している。この演出装置２００には、略中央に横長の装飾図柄表示装置１１０を配設し、その周囲に、普通図柄表示装置１１２と、特別図柄表示装置１１４と、普通図柄保留ランプ１１６と、特別図柄保留ランプ１１８と、高確中ランプ１２０を配設している。なお、以下、普通図柄を「普図」、特別図柄を「特図」と称する場合がある。
【００３３】
演出装置２００は、可動部を動作して演出を行うものであり、詳細については後述する。
【００３４】
装飾図柄表示装置１１０は、装飾図柄ならびに演出に用いる様々な画像を表示するための表示装置であり、本実施例では液晶表示装置（Ｌｉｑｕｉｄ  Ｃｒｙｓｔａｌ  Ｄｉｓｐｌａｙ）によって構成する。この装飾図柄表示装置１１０は、左図柄表示領域１１０ａ、中図柄表示領域１１０ｂ、右図柄表示領域１１０ｃおよび演出表示領域１１０ｄの４つの表示領域に分割し、左図柄表示領域１１０ａ、中図柄表示領域１１０ｂおよび右図柄表示領域１１０ｃはそれぞれ異なった装飾図柄を表示し、演出表示領域１１０ｄは演出に用いる画像を表示する。さらに、各表示領域１１０ａ、１１０ｂ、１１０ｃ、１１０ｄの位置や大きさは、装飾図柄表示装置１１０の表示画面内で自由に変更することを可能としている。なお、装飾図柄表示装置１１０は、液晶表示装置に代えて、ドットマトリクス表示装置、７セグメント表示装置、ＥＬ（ＥｌｅｃｔｒｏＬｕｍｉｎｅｓｃｅｎｃｅ）表示装置、ドラム式表示装置、リーフ式表示装置等他の表示デバイスを採用してもよい。
【００３５】
普図表示装置１１２は、普図の表示を行うための表示装置であり、本実施例では７セグメントＬＥＤによって構成する。特図表示装置１１４は、特図の表示を行うための表示装置であり、本実施例では７セグメントＬＥＤによって構成する。
【００３６】
普図保留ランプ１１６は、保留している普図変動遊技の数を示すためのランプであり、本実施例では、普図変動遊技を２つまで保留することを可能としている。特図保留ランプ１１８は、保留している特図変動遊技の数を示すためのランプであり、本実施例では、特図変動遊技を４つまで保留することを可能としている。高確中ランプ１２０は、遊技状態が高確率状態であること、または高確率状態になることを示すためのランプであり、遊技状態を低確率状態から高確率状態にする場合に点灯し、高確率状態から低確率状態にする場合に消灯する。
【００３７】
また、この演出装置２００の周囲には、一般入賞口１２２と、普図始動口１２４と、第１特図始動口１２６と、第２特図始動口１２８と、可変入賞口１３０を配設している。
【００３８】
一般入賞口１２２は、本実施例では遊技盤１０２に複数配設しており、この一般入賞口１２２への入球を所定の球検出センサ（図示省略）が検出した場合（一般入賞口１２２に入賞した場合）、払出装置５５２を駆動し、所定の個数（本実施例では１０個）の球を賞球として後述する貯留皿１４４に排出する。貯留皿１４４に排出した球は遊技者が自由に取り出すことが可能であり、これらの構成により、入賞に基づいて賞球を遊技者に払い出すようにしている。なお、一般入賞口１２２に入球した球は、パチンコ機１００の裏側に誘導した後、遊技島側に排出する。本実施例では、入賞の対価として遊技者に払い出す球を「賞球」、遊技者に貸し出す球を「貸球」と区別して呼ぶ場合があり、「賞球」と「貸球」を総称して「球（遊技球）」と呼ぶ。
【００３９】
普図始動口１２４は、ゲートやスルーチャッカーと呼ばれる、遊技領域の所定の領域を球が通過したか否かを判定するための装置で構成しており、本実施例では遊技盤１０２の左側に１つ配設している。普図始動口１２４を通過した球は一般入賞口１２２に入球した球と違って、遊技島側に排出することはない。球が普図始動口１２４を通過したことを所定の玉検出センサが検出した場合、パチンコ機１００は、普図表示装置１１２による普図変動遊技を開始する。
【００４０】
第１特図始動口１２６は、本実施例では遊技盤１０２の中央に１つだけ配設している。この第１特図始動口１２６への入球を所定の球検出センサが検出した場合、後述する払出装置５５２を駆動し、所定の個数（本実施例では３個）の球を賞球として後述する貯留皿１４４に排出するとともに、特図表示装置１１４による特図変動遊技を開始する。なお、第１特図始動口１２６に入球した球は、パチンコ機１００の裏側に誘導した後、遊技島側に排出する。
【００４１】
第２特図始動口１２８は、電動チューリップ（電チュー）と呼ばれ、本実施例では第１特図始動口１２６の真下に１つだけ配設している。この第２特図始動口１２８は、左右に開閉自在な羽根を備え、羽根の閉鎖中は球の入球が不可能であり、普図変動遊技に当選し、普図表示装置１１２が当たり図柄を停止表示した場合に羽根が所定の時間間隔、所定の回数で開閉する。第２特図始動口１２８への入球を所定の球検出センサが検出した場合、後述する払出装置５５２を駆動し、所定の個数（本実施例では５個）の球を賞球として後述する貯留皿１４４に排出するとともに、特図表示装置１１４による特図変動遊技を開始する。なお、第２特図始動口１２８に入球した球は、パチンコ機１００の裏側に誘導した後、遊技島側に排出する。
【００４２】
可変入賞口１３０は、大入賞口またはアタッカーと呼ばれ、本実施例では遊技盤１０２の中央部下方に１つだけ配設している。この可変入賞口１３０は、開閉自在な扉部材を備え、扉部材の閉鎖中は球の入球が不可能であり、特図変動遊技に当選し、特図表示装置１１４が大当たり図柄を停止表示した場合に扉部材が所定の時間間隔（例えば、開放時間２９秒、閉鎖時間１．５秒）、所定の回数（例えば１５回）で開閉する。可変入賞口１３０への入球を所定の球検出センサが検出した場合、後述する払出装置５５２を駆動し、所定の個数（本実施例では１５球）の球を賞球として後述する貯留皿１４４に排出する。なお、可変入賞口１３０に入球した球は、パチンコ機１００の裏側に誘導した後、遊技島側に排出する。
【００４３】
さらに、これらの入賞口や始動口の近傍には、風車と呼ばれる円盤状の打球方向変換部材１３２や、遊技釘１３４を複数個、配設していると共に、内レール１０８の最下部には、いずれの入賞口や始動口にも入賞しなかった球をパチンコ機１００の裏側に誘導した後、遊技島側に排出するためのアウト口１３６を設けている。
【００４４】
このパチンコ機１００は、遊技者が貯留皿１４４に貯留している球を発射レール１４２の発射位置に供給し、遊技者の操作ハンドル１４８の操作量に応じた強度で発射モータ６０２を駆動し、発射杆１３８および発射槌１４０によって外レール１０６、内レール１０８を通過させて遊技領域１０４に打ち出す。そして、遊技領域１０４の上部に到達した球は、打球方向変換部材１３２や遊技釘１３４等によって進行方向を変えながら下方に落下し、入賞口（一般入賞口１２２、可変入賞口１３０）や始動口（第１特図始動口１２６、第２特図始動口１２８）に入賞するか、いずれの入賞口や始動口にも入賞することなく、または普図始動口１２４を通過するのみでアウト口１３６に到達する。
【００４５】
＜演出装置＞
【００４６】
次に、パチンコ機１００の演出装置２００について説明する。
【００４７】
この演出装置２００の前面側には、ワープ装置２３０およびステージを配設し、演出装置２００の背面側には、装飾図柄表示装置１１０および遮蔽手段２５０を配設している。すなわち、演出装置２００において、装飾図柄表示装置１１０および遮蔽手段２５０は、ワープ装置２３０およびステージの後方に位置することとなる。
【００４８】
ワープ装置２３０は、演出装置２００の左上方に設けた入球口２３２に入った遊技球を演出装置２００の前面下方の前面ステージ２３４に排出し、さらに、前面ステージ２３４に排出した遊技球が前面ステージ２３４の中央部後方に設けた第２の入球口２３６に入った場合は、遊技球を、第１特図始動口１２６の上方である演出装置２００の下部中央に設けた排出口２３８から第１特図始動口１２６に向けて排出するものである。この排出口２３８から排出した遊技球は特図始動口１２６に入球しやすくなっている。
【００４９】
遮蔽手段２５０は、格子状の左扉２５０ａおよび右扉２５０ｂからなり、装飾図柄表示装置１１０および前面ステージ２３４の間に配設する。左扉２５０ａおよび右扉２５０ｂの上部には、図示しない２つのプーリに巻き回したベルトをそれぞれ固定している。すなわち、左扉２５０ａおよび右扉２５０ｂは、モータによりプーリを介して駆動するベルトの動作に伴って左右にそれぞれ移動する。
【００５０】
遮蔽手段２５０は、左右扉２５０ａ、２５０ｂを閉じた状態ではそれぞれの内側端部が重なり、遊技者が装飾図柄表示装置１１０を視認し難いように遮蔽する。左右扉２５０ａ、２５０ｂを開いた状態ではそれぞれの内側端部が装飾図柄表示装置１１０の表示画面の外側端部と若干重なるが、遊技者は装飾図柄表示装置１１０の表示の全てを視認可能である。
【００５１】
また、左右扉２５０ａ、２５０ｂは、それぞれ任意の位置で停止可能であり、例えば、表示した装飾図柄がどの装飾図柄であるかを遊技者が識別可能な程度に、装飾図柄の一部だけを遮蔽するようなことができる。なお、左右扉２５０ａ、２５０ｂは、格子の孔から後方の装飾図柄表示装置１１０の一部を視認可能にしてもよいし、格子の孔の障子部分を半透明のレンズ体で塞ぎ、後方の装飾図柄表示装置１１０による表示を漠然と遊技者に視認させるようにしてもよいし、格子の孔の障子部分を完全に塞ぎ（遮蔽し）、後方の装飾図柄表示装置１１０を全く視認不可にしてもよい。
【００５２】
＜図柄の種類＞
【００５３】
次に、図３（ａ）〜（ｃ）を用いて、パチンコ機１００の特図表示装置１１４、装飾図柄表示装置１１０、普図表示装置１１２が停止表示する特図および普図の種類について説明する。
【００５４】
図３（ａ）は特図の停止表示態様の一例を示したものである。本実施例の特図の停止表示態様には、大当たり図柄である「特図１」と、特別大当たり図柄である「特図２」と、外れ図柄である「特図３」の３種類がある。第１特図始動口１２６または第２特図始動口１２８に球が入賞したことを所定の球検出センサが検出したことを条件として特図変動遊技を開始した場合には、特図表示装置１１４は、７個のセグメントの全点灯と、中央の１個のセグメントの点灯を繰り返す「特図の変動表示」を行う。そして、特図の変動開始前に決定した変動時間が経過すると、特図変動遊技の当選を報知する場合には「特図１」または「特図２」を停止表示し、特図変動遊技の外れを報知する場合には「特図３」を停止表示する。なお、図中の白抜きの部分が消灯するセグメントの場所を示し、黒塗りの部分が点灯するセグメントの場所を示している。
【００５５】
図３（ｂ）は装飾図柄の一例を示したものである。本実施例の装飾図柄には、「装飾１」〜「装飾１０」の１０種類がある。第１特図始動口１２６または第２特図始動口１２８に球が入賞したことを所定の球検出センサが検出したことを条件にして、装飾図柄表示装置１１０の左図柄表示領域１１０ａ、中図柄表示領域１１０ｂ、右図柄表示領域１１０ｃの各図柄表示領域に、「装飾１」→「装飾２」→「装飾３」→・・・・「装飾９」→「装飾１０」→「装飾１」→・・・の順番で表示を切り替える「装飾図柄の変動表示」を行う。そして、大当たりを報知する場合には、図柄表示領域１１０ａ〜１１０ｃに大当たりに対応する図柄組合せ（本実施例では、同一の数字の装飾図柄の組合せ（例えば、「装飾２−装飾２−装飾２」））を停止表示し、特別大当たりを報知する場合には、特別大当たりに対応する図柄組合せ（本実施例では、同一の奇数番号数字の装飾図柄の組合せ（例えば、「装飾１−装飾１−装飾１」））を停止表示する。なお、大当たりに対応する図柄の組合せを停止表示した場合には、大当たり遊技または特別大当たり遊技を開始し、特別大当たりに対応する図柄の組合せを停止表示した場合には、特別大当たり遊技を開始する。また、外れを報知する場合には、図柄表示領域１１０ａ〜１１０ｃに大当たりに対応する図柄組合せ以外の図柄組合せを停止表示した後で、保留している装飾図柄の変動表示があれば、その変動表示を開始する。
【００５６】
図３（ｃ）は普図の停止表示態様の一例を示したものである。本実施例の普図の停止表示態様には、当たり図柄である「普図１」と、外れ図柄である「普図２」の２種類がある。普図始動口１２４を球が通過したことを所定の球検出センサが検出したことを条件として普図表示遊技を開始した場合には、普図表示装置１１２は、７個のセグメントの全点灯と、中央の１個のセグメントの点灯を繰り返す「普図の変動表示」を行う。そして、普図変動遊技の当選を報知する場合には「普図１」を停止表示し、普図変動遊技の外れを報知する場合には「普図２」を停止表示する。
【００５７】
＜制御部＞
【００５８】
次に、図４を用いて、このパチンコ機１００の制御部の回路構成について詳細に説明する。なお、同図は制御部の回路ブロック図を示したものである。
【００５９】
パチンコ機１００の制御部は、大別すると、遊技の中枢部分を制御する主制御部３００と、主制御部３００が送信するコマンド信号（以下、単に「コマンド」と呼ぶ）に応じて、主に演出の制御を行う副制御部４００と、主制御部３００が送信するコマンドに応じて、主に遊技球の払い出しに関する制御を行う払出制御部５５０と、遊技球の発射制御を行う発射制御部６００と、パチンコ機１００に供給される電源を制御する電源管理部６５０によって構成している。
【００６０】
＜主制御部＞
【００６１】
まず、パチンコ機１００の主制御部３００について説明する。
【００６２】
主制御部３００は、主制御部３００の全体を制御する基本回路３０２を備えており、この基本回路３０２には、ＣＰＵ３０４と、制御プログラムや各種データを記憶するためのＲＯＭ３０６と、一時的にデータを記憶するためのＲＡＭ３０８と、各種デバイスの入出力を制御するためのＩ／Ｏ３１０と、時間や回数等を計測するためのカウンタタイマ３１２を搭載している。なお、ＲＯＭ３０６やＲＡＭ３０８については他の記憶手段を用いてもよく、この点は後述する副制御部４００についても同様である。この基本回路３０２のＣＰＵ３０４は、水晶発信器３１４が出力する所定周期のクロック信号をシステムクロックとして入力して動作する。
【００６３】
また、基本回路３０２には、水晶発信器３１４ａ、３１４ｂが出力するクロック信号を受信する度に０〜６５５３５の範囲で数値を変動させるハードウェア乱数カウンタとして使用しているカウンタ回路３１６（この回路には２つのカウンタを内臓しているものとする）と、各始動口、入賞口の入り口および可変入賞口の内部に設けた球検出センサを含む各種センサ３１８が出力する信号を受信し、増幅結果や基準電圧との比較結果をカウンタ回路３１６および基本回路３０２に出力するためのセンサ回路３２０と、特図表示装置１１４の表示制御を行うための表示回路３２２と、普図表示装置１１２の表示制御を行うための表示回路３２４と、各種状態表示部３２６（普図保留ランプ１１６、特図保留ランプ１１８、高確中ランプ１１８等）の表示制御を行うための表示回路３２８と、第２特図始動口１２８や可変入賞口１３０等を開閉駆動する各種ソレノイド３３０を制御するためのソレノイド回路３３２を接続している。
【００６４】
なお、第１特図始動口１２６に球が入賞したことを球検出センサ３１８が検出した場合には、センサ回路３２０は球を検出したことを示す信号をカウンタ回路３１６に出力する。この信号を受信したカウンタ回路３１６は、第１特図始動口１２６に対応するカウンタのそのタイミングにおける値をラッチし、ラッチした値を、第１特図始動口１２６に対応する内蔵のカウンタ値記憶用レジスタに記憶する。また、カウンタ回路３１６は、第２特図始動口１２８に球が入賞したことを示す信号を受信した場合も同様に、第２特図始動口１２８に対応するカウンタのそのタイミングにおける値をラッチし、ラッチした値を、第２特図始動口１２８に対応する内蔵のカウンタ値記憶用レジスタに記憶する。
【００６５】
さらに、基本回路３０２には、情報出力回路３３４を接続しており、主制御部３００は、この情報出力回路３３４を介して、外部のホールコンピュータ（図示省略）等が備える情報入力回路６５２にパチンコ機１００の遊技情報（例えば、遊技状態）を出力する。
【００６６】
また、主制御部３００には、電源管理部６５０から主制御部３００に供給している電源の電圧値を監視する電圧監視回路３３６を設けており、この電圧監視回路３３６は、電源の電圧値が所定の値（本実施例では９ｖ）未満である場合に電圧が低下したことを示す低電圧信号を基本回路３０２に出力する。
【００６７】
また、主制御部３００には、電源が投入されると起動信号（リセット信号）を出力する起動信号出力回路（リセット信号出力回路）３３８を設けており、ＣＰＵ３０４は、この起動信号出力回路３３８から起動信号を入力した場合に、遊技制御を開始する（後述する主制御部メイン処理を開始する）。
【００６８】
また、主制御部３００は、副制御部４００にコマンドを送信するための出力インタフェースと、払出制御部５５０にコマンドを送信するための出力インタフェースをそれぞれ備えており、この構成により、副制御部４００および払出制御部５５０との通信を可能としている。なお、主制御部３００と副制御部４００および払出制御部５５０との情報通信は一方向の通信であり、主制御部３００は副制御部４００および払出制御部５５０にコマンド等の信号を送信できるように構成しているが、副制御部４００および払出制御部５５０からは主制御部３００にコマンド等の信号を送信できないように構成している。
【００６９】
＜副制御部＞
【００７０】
次に、パチンコ機１００の副制御部４００について説明する。
【００７１】
副制御部４００は、主に主制御部３００が送信したコマンド等に基づいて副制御部４００の全体を制御する基本回路４０２を備えており、この基本回路４０２には、ＣＰＵ４０４と、制御プログラムや各種データを記憶するためのＲＯＭ４０６と、一時的にデータを記憶するためのＲＡＭ４０８と、各種デバイスの入出力を制御するためのＩ／Ｏ４１０と、時間や回数等を計測するためのカウンタタイマ４１２を搭載している。この基本回路４０２のＣＰＵ４０４は、水晶発信器４１４が出力する所定周期のクロック信号をシステムクロックとして入力して動作する。
【００７２】
また、基本回路４０２には、スピーカ４１６（およびアンプ）の制御を行うための音源ＩＣ４１８と、各種ランプ４２０の制御を行うための表示回路４２２と、演出装置２００の演出用可動体等を駆動する駆動装置であるソレノイドまたはモータ等が含まれる各種演出用駆動装置４２４の制御を行うための演出用駆動装置制御回路４２６と、装飾図柄表示装置（液晶表示装置）１１０および遮蔽手段２５０の制御を行うための副制御部５００と、チャンスボタン１４６の押下を検出して信号を出力するチャンスボタン検出回路３８０を接続している。
【００７３】
＜払出制御部、発射制御部、電源管理部＞
【００７４】
次に、パチンコ機１００の払出制御部５５０、発射制御部６００、電源管理部６５０について説明する。
【００７５】
払出制御部５５０は、主に主制御部３００が送信したコマンド等の信号に基づいて払出装置５５２を制御すると共に、払出センサ５５４が出力する制御信号に基づいて賞球または貸球の払い出しが完了したか否かを検出すると共に、インタフェース部５５６を介して、パチンコ機１００とは別体で設けられたカードユニット６５４との通信を行う。
【００７６】
発射制御部６００は、払出制御部５５０が出力する、発射許可または停止を指示する制御信号や、操作ハンドル１４８内に設けた発射強度出力回路が出力する、遊技者による発射ハンドル１４８の操作量に応じた発射強度を指示する制御信号に基づいて、発射杆１３８および発射槌１４０を駆動する発射モータ６０２の制御や、貯留皿１４４から発射レール１４２に球を供給する球送り装置６０４の制御を行う。
【００７７】
電源管理部６５０は、パチンコ機１００に外部から供給される交流電源を直流化し、所定の電圧に変換して主制御部３００、副制御部４００等の各制御部や払出装置５５２等の各装置に供給する。さらに、電源管理部６５０は、外部からの電源が断たれた後も所定の部品（例えば主制御部３００のＲＡＭ３０８等）に所定の期間（例えば１０日間）電源を供給するための蓄電回路（例えばコンデンサ）を備えている。
【００７８】
次に、図５は、パチンコ機１００を背面（遊技者と反対側）から見た外観斜視図である。
【００７９】
パチンコ機１００の背面には、パチンコ機１００の主制御を行う主制御基板や演出装置（例えば、スピーカ４１６やランプ４２０など）の制御を行う副制御基板などの制御基板を被覆する複数の基板ケースが配設されている。
【００８０】
また、これら制御基板を被覆する基板ケースは、取付ベース７０２に着脱可能に係止され、所定の機能を有する基板ユニット７００としてパチンコ機１００に固定されている。本実施形態では、２つの基板ケース（左側基板ケース７２０、右側基板ケース７４０）を矢印方向（水平方向）にスライドさせることにより、取付ベース７０２と着脱可能に構成されている。
【００８１】
なお、基板ケースの数量や配置位置は、本実施形態、形状、位置に限定されるものではないことは言うまでもない。また、基板ケースの着脱方法は、スライド式に限定されず、基板ベース７０２に対して背面の前後方向に開閉可能（詳細は後述）に構成されていても良く、その他の着脱方法でも好ましい。
【００８２】
次に、図６を用いて基板ユニット７００について説明する。同図は、基板ユニット７００の斜視図である。
【００８３】
基板ユニット７００は、取付ベース７０２を有し、その取付ベース７０２に複数の基板ケース（本実施形態では、左側基板ケース７２０、右側基板ケース７４０）を固定して、遊技台１００に内装される。取付ベース７０２は、その下側に左側基板ケース７２０と、右側基板ケース７４０と、を係止できるように構成されている。
【００８４】
なお、本実施形態では、左側基板ケース７２０は、取付ベース７０２の外側から内側方向（矢印Ａ方向）にスライドして取付ベース７０２の所定の位置に係止される。また、右側基板ケース７４０は、取付ベース７０２の外側から内側方向（矢印Ｂ方向）にスライドして取付ベース７０２の所定の位置に係止される。
【００８５】
左側基板ケース７２０は、ベース部材７２２と、制御基板７２４と、ケース部材７２６と、から構成されている。ベース部材７２２と、ケース部材７２６は、制御基板７２４を挟むように収容してカシメ部材７２９によりカシメられて固定される。
【００８６】
ベース部材７２２は、プラスチック等の樹脂性の箱形部材であり、基板収容部７２２ａと、下カシメ部７２２ｂと、当接面７２２ｃと、を備えている。基板収容部７２２ａは、制御基板７２４と係合して収容する領域であり、下カシメ部７２２ｂは、上カシメ部７２６ａと係合して、カシメ部材７２９によってカシメられて係止される。
【００８７】
制御基板７２４は、他の基盤や、電源装置と接続するためのコネクタ７２４ａ、２７４ｂや、ＣＰＵ又はＲＯＭ等の複数の電子部品７２４ｃが実装されているプリント基板である。また、制御基板７２４は、４隅に係止穴部７２４ｄを有し（本実施形態では、４か所）、ベース部材７２２に設けられた係止凸部（図示省略）を挿嵌してケース部材７２６の係止凹部（図示省略）に係止される。
【００８８】
ケース部材７２６は、プラスチック等の樹脂性の箱形部材であり、下カシメ部７２２ｂと対応する位置の側面に複数（本実施形態では４か所）の上カシメ部７２６ａと、コネクタ７２４ａ、７２４ｂをケース部材７２６から外部へ露出するための角穴７２６ｂ、７２６ｃを正面に有している。また、このケース部材７２６は、正面（ベース部材７２２との係合方向と逆方向）に向かって１段小さいケース部を構成する段部７２７を備えている。この段部７２７は、基板ケース７２０のスライド方向の側面に制御基板方向に窪んだ凹形状の曲面７２７ａと、この曲面７２７ａと対向する位置にある側面に曲面７２７ｂと、を有している。
【００８９】
なお、同図（ｂ）に示すとおり、基板ケース７２０は略矩形状の箱体であり、曲面７２７ａおよび７２７ｂは該箱体の長手方向に形成されている。
【００９０】
また、ケース部材７２６とベース部材７２２を係合した場合に、下カシメ部７２２ｂは上カシメ部７２６ａに挿入されることにより下カシメ部７２２ａに設けられたカシメ挿入孔および上カシメ部７２６ａに設けられたカシメ挿入孔が重なり、重なり合った挿入孔にカシメ部材７２９を挿入することで、カシメ部材７２９に設けられた係止片が上カシメ部７２６ａに設けられた図示しない非係合部と係合することで、ベース部材７２２およびケース部材７２６は取り外し不可能に構成される。もし、ベース部材７２２およびケース部材７２６を取り外したい場合は、基板ケースを構成するいずれかの部品を破壊しなければ取り外すことができないように構成されている。たとえば、上カシメ部７２６ａおよび下カシメ部７２２ｂをそれぞれケース部材７２６およびベース部材７２２から物理的に分離（破壊）することにより、基板ケースを開放することができる。なお、このような基板ケースの封印構造は、本構成に限定されない。
【００９１】
次に同図（ｃ）を用いて、面を形成する複数の角部７２８ａ〜７２８ｈ、角部７２８ａ〜７２８ｄにより形成される仮想平面７２８ｊおよび曲面７２７ａならびに複数の角部７２８ｅ〜７２８ｈにより形成される平面７２８ｋを説明する。
【００９２】
ケース部材７２６は、複数の角部と、該角部を結ぶことによって形成される面によって形成される。本図では、曲面、平面および仮想平面を説明するために複数の角部のうち、角部７２８ａ〜７２８ｈのみ説明するが、ケース部材７２６には、角部７２８ａ〜７２８ｈ以外の角部があり、それらによって形成される面もまた複数ある。
【００９３】
仮想平面７２８ｊは、曲面７２７ａを形成する複数の角部７２８ａ〜７２８ｄを、平面となるように結んだ図である。図に示すように、曲面７２７ａは仮想平面７２８ｊに対してケース部材７２６の内側（制御基板を収容する側）に向かって凹形状となっている。また、仮想平面７２８ｊは隣接する平面と同一平面となっている。
【００９４】
平面７２７ｋは、複数の角部７２８ｅ〜７２８ｈにより形成される。ここで、該角部は、作業者が作業中に怪我をしないように面取りされていることがある。
【００９５】
なお、本実施形態では、曲面７２７ａと、曲面７２７ｂの２つの曲面を有しているが、曲面は、少なくともどちらかの側面に１つ有していることが望ましく、取り扱い易さを考慮した場合、曲面７２７ａを有していることが好ましい。
【００９６】
また、カバー部材７２６の４隅には、４つの係止凹部（図示省略）を有し、ベース部材７２２の係止凸部（図示省略）と挿嵌して制御基板７２４をベース部材７２２に係止する。
【００９７】
次に、図８を用いて、左側基板ケース７２０を取付ベース７０２へ取り付ける方法を説明する。同図（ａ）は、取付者１が、取付ベース７０２に左側基板ケース７２０をスライドさせている図であり、同図（ｂ）は、取付ベース７０２に左側基板ケース７２０が係止された図である。なお、同図では、右側基板ケース７４０は、左側基板ケース７２０と同様な方法で、予め基板ベース７０２に取り付けられている状態である。
【００９８】
取付者１は、同図（ａ）に示すように、曲面７２７ａの持ちやすい位置に人差し指から小指までの４指を掛け、曲面７２７ｂの持ちやすい位置に親指を掛ける。
【００９９】
次に、取付者１は、左側基板ケース７２０を取付ベース７０２の下側に設けられた所定の取付位置で外側から内側（矢印Ａ方向）にスライドさせる。
【０１００】
左側基板ケース７２０は、同図（ｂ）に示すように、当接面７２２ｃが取付ベース７０２に設けられている当接面７１０に当接する位置までスライドし、当接面７２２ｃが当接面７１０に当接した場合にその位置で係止される。
【０１０１】
前述したように、左側基板ケース７２０は、曲面７２７ａと曲面７２７ｂを備えているので、取付者１は、左側基板ケース７２０を把持し易い位置で曲面７２７ａ、７２７ｂに手の指を掛けることができ、左側基板ケース７２０を安定して把持でき、非常に移動させ易いという効果がある。
【０１０２】
また、左側基板ケース７２０は、曲面７２７ａ、７２７ｂを有しているので、取付者１が手を滑らせ、左側基板ケース７２０の曲面に突発的に力を加えてしまった場合でも、その曲面７２７ａ、７２７ｂが力を分散し、左側基板ケース７２０を破損する恐れが大幅に減少するという効果がある。
【０１０３】
また、曲面７２７ａを制御基板７２４側に窪んだ凹形状としているため、埃やゴミ、水滴等が降りかかった場合に、それらを曲面７２７ａの中心の一か所に集められるという優れた効果がある。
【０１０４】
なお、本実施形態では、右側基板ケース７４０も、側面に同様の形態を有する曲面７４２、７４４を有しているが、形状、利用の仕方、効果は左側基板ケース７２０の曲面７２７ａ、７２７ｂと略同様なので、詳細な説明は省略する。
【０１０５】
次に、図９を用いて、本発明の第２実施形態に係る基板ユニット８００ついて説明する。同図（ａ）は、第２実施形態に係る左側基板ケース８２０を有する基板ユニット８００の正面図であり、同図（ｂ）は、取付者１が左側基板ケース８２０を取付ベース７０２から外す場合の基板ユニット８００の正面図であり、同図（ｃ）は、左側基板ケース８２０が取付ベース７０２に対して矢印Ａ方向にスライドした状態の図である。
【０１０６】
第２実施形態は、左側基板ケース８２０に設けられた上側曲面８２２と、対向する面に設けられた下側曲面８２４が取付者１の指の形状に形成され、左側基板ケース８２０を非常に把持し易いところに特徴がある。
【０１０７】
なお、本実施形態において、取付ベース７０２及び右側基板ケース７４０は、前述した実施形態と同じであるので、同じ番号を付し、詳細な説明は省略する。
【０１０８】
同図（ａ）に示すように、左側基板ケース８２０は、その側面の上側に上側曲面８２２と、対向して配設される面に下側曲面８２４を有している。
【０１０９】
上側曲面８２２は、取付者１の人差し指、中指、薬指、小指の４指がフィットする曲面（形状、深さ）と、配置位置で形成されている。また、下側曲面８２４は、取付者１の親指がフィットする曲面、配置位置で形成されている。換言すると、人指し指、中指、薬指および小指の４指の位置決めが可能なように、基板ケースの外面側の一方に、１又は複数の（本実施例では４つの）曲面を形成し、対抗する外面側に１又は複数（本実施例では１つの）曲面を形成している。
【０１１０】
なお、この上側曲面８２２、下側曲面８２４は、取付者１の利き手（右利き、左利き）の違いによって、曲面の形状や、深さ、配置位置を変えてもよく、また、取付者１が逆手で把持できるように、上側曲面８２２と下側曲面８２４を逆にして、下側曲面８２４に４指がフィットする曲面を形成しても好ましい。また、左利きおよび右利きの両方に対応できるように、下側曲面８２４を２つ設けてもよい。また、形状に関しては、親指が当接するための曲面が最も深くてもよい（仮想平面に対して基板ケース内部方向に窪んだ凹形状の窪みが他の窪みよりも落ち込んでいてもよい）。親指は、他の指と比較して指の腹が大きいためである。また、連続する複数の（本実施例では４つ）の曲面は、両端のくぼみの深さが、他のくぼみよりも深いような凹形状でもよい。物を持とうとして手を広げた場合、人指し指および小指には、中指および薬指よりも相対的に低い位置に広がるためである。
【０１１１】
次に、同図（ｂ）に示すように、取付者１は、上側曲面８２２、下側曲面８２４に所定の指を掛け、左側基板ケース８２０を手にフィットさせた状態で把持し、取付ベース７０２の内側から外側（矢印Ａ方向）にスライドさせることによって、左側基板ケース８２０を取付ベース７０２から外すことができる。
【０１１２】
したがって、本実施形態では、左側基板ケース８２０は、取付者１の各指の形状にフィットするような上側曲面８２２、下側曲面８２４を有しているため、取付者１が左側基板ケース８２０を非常に安定した状態でしっかり把持できるという効果がある。
【０１１３】
また、左側基板ケース８２０の側面が曲面（上側曲面８２２又は下側曲面８２４）になっているため、取付者１が手を滑らせ、左側基板ケース８２０の各曲面に突発的な力を加えてしまった場合でも、上側曲面８２２、下側曲面８２４でその力を分散し、左側基板ケース８２０を破損する恐れが大幅に減少するという効果がある。
【０１１４】
なお、本実施形態では、右側基板ケース７４０は、上側曲面８２２、下側曲面８２４のような形状になっていないが、当然、左側基板ケース８２０と同様に、取付者１の指にフィットするように、上側曲面８２２、下側曲面８２４と同様の形態を有する曲面を設けても好ましい。
【０１１５】
次に、図１０を用いて、本発明の第３実施形態に係る基板ユニット８５０ついて説明する。同図は、第３実施形態に係る基板ユニット８５０の斜視図である。
【０１１６】
第３実施形態は、左側基板ケース８７０の正面（取付者側）が凸状の曲面になっているところに特徴がある。
【０１１７】
なお、本実施形態において、取付ベース７０２、右側基板ケース７４０は、前述した実施形態と同じであるので、同一の番号を付し、詳細な説明は省略する。
【０１１８】
本実施形態の左側基板ケース８７０は、正面側（取付者側）が凸方向に半球形の曲面８７２が形成されている。
【０１１９】
したがって、左側基板ケース８７０は正面側に曲面８７２が形成されているため、制御基板のメンテナンス等を行う際に取付者が手を滑らせ、左側基板ケース８７０に突発的に力を加えてしまった場合、または、他の遊技用の部材（例えば、取付ベース７０２）に当ててしまった場合でも、曲面８７２によって力を分散することができ、基板ケースの破損を防止できるという効果がある。
【０１２０】
なお、本実施形態では、曲面８７２は、正面の全体に形成されているが、正面の一部に形成するようにしてもよく、同一面に複数の曲面を設けても好ましい。
【０１２１】
また、本実施形態では、曲面８７２は凸状の曲面であるが、これに限定されず、例えば、取付面側（取付ベース側）に窪んだ凹形状でも好ましい。
【０１２２】
また、曲面８７２と対向する面（取付面）が凹んだ凹形状の曲面としてもよく、取付面の一部を窪ますようにしても好ましく、この場合、基板ケースを他の部材（例えば、取付ベース７０２）に当ててしまった場合に力を分散することができる。
【０１２３】
また、右側基板ケース７４０も本実施形態と同様な曲面８７２を正面に有する形態にすることが好ましい。
【０１２４】
次に、図１１を用いて、本発明の第４実施形態に係る基板ケース９００ついて説明する。同図は、第４実施形態にかかる基板ケース９００の分解斜視図である。
【０１２５】
この第４実施形態は、基板ケース９００がシェル構造（楕球形状）となっているため強度が強く、また、基板ケース９００に突発的な外力が印加された場合、シェル構造（楕球形状）によってその外力を分散し、基板ケース９００の破損等を防止できるところに特徴がある。
【０１２６】
基板ケース９００は、ベース部材９１０と、制御基板７２４と、カバー部材９２０と、から構成されている。なお、制御基板７２４は、前述した実施形態の制御基板と同じであるので、同一の番号を付し、詳細な説明は省略する。
【０１２７】
ベース部材９１０は、プラスチック等の樹脂製の半楕球状部材である。このベース部材９１０は、半楕球状の取付面９１２と、制御基板７２４の係止穴部７２４ｄに挿通する係止凸部９１４と、カバー部材９２０と係合する係止爪９１６と、を有している。
【０１２８】
取付面９１２は、前述した取付ベース（例えば、取付ベース７０２）に取付けられる面であり、半楕球状に形成されているため、他の部材（例えば、基板ユニット７００）に当たって衝撃を受けた場合、その衝撃力を曲面で分散させることができる。なお、この取付面９１２は、本実施形態では、半楕球状に成型されているが、取付ベースに取り付け易くするために取付面９１２の一部を平面にしてもよい。また、取付面９１２は、突発的に印加された衝撃力を分散できる形状であれば楕球形状に限定されるものではなく、一定の曲面を有する形状であれば、球形状やその他の形状でも好ましい。
【０１２９】
カバー部材９２０は、プラスチック等の樹脂製部材であり、ベース部材９１０と同様に、半楕球形状のカバー面９２２を有している。
【０１３０】
カバー面９２２は、制御基板７２４に実装されているコネクタ７２４ａや７２４ｂをカバー部材９２０から外部に露出するための角穴９２４ａを備えている。
【０１３１】
また、カバー部材９２０は、カバー面９２２の背面（制御基板７２４側）に、係止凸部９１４と嵌合する係止凹部（図示省略）と、係止爪９１６と係合して係止爪９１６を係止する係止片（図示省略）と、を備えている。
【０１３２】
したがって、カバー部材９２０は、係止凹部とベース部材９１０の係止凸部９１４が嵌合し、また、係止片と係止爪９１６が係合することによって、制御基板７２４を挟んで固定すると共に、ベース部材９１０と係止する。
【０１３３】
なお、このカバー面９２２は、突発的に印加された衝撃力を分散できる形状であれば半楕球形状に限定されるものではなく、一定の曲面を有する形状であれば、球形状やその他の形状でも好ましい。
【０１３４】
したがって、本実施形態によれば、取付面９１２、カバー面９２２を半楕球状にしているので、これらの面に突発的に印加された衝撃力を曲面で分散することができ、ケースの形状を楕球形状にするという安価な構成で基板ケース９００の破損を防止することができるという優れた効果がある。
【０１３５】
また、取付面９１２、カバー面９２２は、半楕球状に形成されているので、その楕球面が取付者の手に馴染み、基板ケース９００を把持し易く、取付作業の効率が向上するという優れた効果がある。
【０１３６】
次に、図１２を用いて、本発明の第５実施形態に係る基板ユニット１０００ついて説明する。同図（ａ）は、第５実施形態に係る基板ユニット１０００の斜視図であり、同図（ｂ）は、第５実施形態に係る基板ユニット１０００の取付者側から見た正面図である。
【０１３７】
第５実施形態は、制御基板のコネクタの形状に合わせ、コネクタ位置に対応する基板ケースの一部の形状を所定の曲面に形成するところに特徴がある。
【０１３８】
左側基板ケース１０２０は、曲面１０２２と、コネクタ穴１０２４と、を有している。
【０１３９】
曲面１０２２は、半円形状の曲面で、コネクタ穴１０２４の形状に合わせてコネクタ穴１０２４の周囲に形成されている。
【０１４０】
コネクタ穴１０２４は、制御基板（図示省略）に実装されている円形コネクタ７２５を左側基板ケース１０２０の外部に露出するための穴である。
【０１４１】
したがって、円形コネクタ７２５は、コネクタ穴１０２４から露出可能とされ、曲面１０２２を有することにより、左側基板ケース１０２０の外側から挿通されるハーネスのコネクタ（図示省略）と装着される。
【０１４２】
これによって、制御基板（図示省略）は、最適なコネクタ（例えば、円形コネクタ７２５や角型コネクタ）を使用することができ、基板のスペースを有効に利用でき、基板の省スペース化を図ることができるという効果がある。
【０１４３】
なお、曲面部１０２２は、円形コネクタ７２５を露出させて、その円形コネクタ７２５と対応するハーネス側のコネクタ（図示省略）を挿通可能とする形状であれば、位置、大きさ等の形状は本実施形態の形態に限定されないことは言うまでもない。また、右側基板ケース７４０に同様の目的で曲面を設けても良いことはいうまでもない。
【０１４４】
次に、図１３を用いて、第６実施形態に係る基板ユニット１１００について説明する。同図は、第６実施形態に係る基板ユニット１１００の斜視図である。
【０１４５】
第６実施形態は、左側基板ケース１１２０の鉛直方向の上面が曲面１１２２になっているところに特徴がある。
【０１４６】
なお、取付ベース７０２、右側基板ケース７４０は、前述した実施形態と同じであるので、詳細な説明は省略する。
【０１４７】
左側基板ケース１１２０は、プラスチック等の樹脂製の箱形部材であり、この左側基板ケース１１２０の側面（上面）に半円形状の曲面１１２２を有している。また、曲面１１２２は、正面側（取付者側）に対して下向きに傾斜した傾斜面１１２２ａを備えている。
【０１４８】
したがって、左側基板ケース１１２０は、上面に曲面１１２２を備えているので、基板ケースの上面に埃やゴミ、水滴が降りかかった場合、その埃やゴミ、水滴を、曲面１１２２に沿って左右に流れ落ちるようにすることができるという効果がある。また、正面側に下向きに傾いた傾斜面１１２２ａを有しているため、埃やゴミ、水滴を手前に落とすことができ、取付者がよりメンテナンスし易いという効果がある。
【０１４９】
なお、本実施形態は、傾斜面１１２２ａを備えているが、埃やゴミ、水滴等が流れ落ちる形状であれば、傾斜面に限定されず、例えば、正面側に撓んだ曲面にしても好ましい。
【０１５０】
また、右側基板ケース７４０の上面も同様の曲面を有する構成にすることが好ましい。
【０１５１】
次に、図１４を用いて、本発明の第７実施形態に係る基板ユニット１２００について説明する。同図は、第７実施形態に係る基板ユニット１２００の斜視図である。
【０１５２】
第７実施形態は、右側基板ケース１２２０に複数の放熱穴１２２５ａを設け放熱性を向上させると共に、寒冷時に取付者が手をかじかむことなく把持できるところに特徴がある。
【０１５３】
なお、取付ベース７０２、左側基板ケース１１２０は、前述した実施形態と同様であるので、同一の番号を付し、詳細な説明は省略する。
【０１５４】
右側基板ケース１２２０は、プラスチック等の樹脂製の箱形部材であり、鉛直方向に分割可能でき、下側に配設された下側ケース１２２２と、上側に配設された上側ケース１２２４と、から構成されている。
【０１５５】
上側ケース１２２４は、基板ケース側に凹形状の曲面１２２５を上面に有し、その曲面１２２５に沿って、複数の放熱穴１２２５が整列して形成され、制御基板（図示省略）に実装されているＣＰＵ（図示省略）等の電子部品から発生した熱を放熱穴１２２５ａから外部に放熱できる。
【０１５６】
したがって、右側基板ケース１２２０は、取付者が把持する上面に放熱穴１２２５ａを備えた構造としているので、寒冷時の取付作業でも放熱穴１２２５ａ部が温められ、作業がし易く、手がかじかんで基板ケース１２２０を落としたりする危険性を大幅に減少することができるという効果がある。
【０１５７】
また、右側基板ケース１２２０は、上面に放熱穴１２２５ａを有しているので、制御基板（図示省略）の放熱が効率よく行えるという効果がある。
【０１５８】
なお、放熱穴１２２５ａは、本実施形態の形状に限定されるものではなく、所定の放熱効果を得られるものであれば、例えば、楕円穴や角穴形状でも良く、また複数の放熱穴を取付者の指の位置に合わせて配設するようにしても好ましい。
【０１５９】
また、上述した放熱穴１２２５ａを下側ケース１２２２の曲面１２２３に設けてもよく、この場合、少なくとも取付者の親指の位置に配設することが好ましい。
【０１６０】
また、放熱穴１２２５ａを有する曲面１２２５は、制御基板に対して外側に凸形状としてもよく、この場合、前述したように埃やゴミ、水滴が掛った場合、それらの埃等を流して落とすことができる。
【０１６１】
また、放熱穴１２２５ａは、基板ケースの正面側（取付者側）に設けるようにしても好ましく、放熱効果をより向上できると共に、寒冷時の取付作業時に取付者の手をより効率よく温めることができるという効果がある。
【０１６２】
次に、図１５を用いて、放熱穴１２２５ａについて説明する。同図（ａ）は、放熱穴１２２５ａを曲面１２２５の鉛直方向に明けた場合の放熱穴１２２５ａの側面断面図であり、同図（ｂ）は、放熱穴１２２５ａを曲面１２２５の垂直方向に明けた場合の放熱穴１２２５ａの側面断面図であり、同図（ｃ）は、（ｂ）の放熱穴１２２５ａの穴位置と同じ位置で、曲面１２２５の上下方向の両側から鉛直方向に明けた場合の放熱穴１２２５ａの側面断面図である。
【０１６３】
曲面１２２５に対して放熱穴１２２５ａを鉛直方向に明けた場合（同図（ａ）参照）は、曲面１２２５の曲率の違いから放熱穴１２２５ａの位置によって各放熱穴の穴長が異なる。
【０１６４】
例えば、曲面１２２５の端部近傍の放熱穴の穴長Ｌと曲面１２２５の中心の放熱穴の穴長ｌは、Ｌ＞ｌの関係になる。したがって、このような放熱穴１２２５ａの穴長の違いにより、曲面１２２５の端部近傍は、中心部近傍に比べて樹脂の肉部（樹脂部）が少なくなり強度が弱くなってしまう。
【０１６５】
同図（ｂ）は、各放熱穴１２２５ａが曲面１２２５に対して垂直方向に明けられている。この場合、曲面１２２５の樹脂の肉厚が同じであれば、曲面１２２５の端部近傍の放熱穴１２２５ａの穴長Ｌと、曲面１２２５の中心の放熱穴１２２５ａの穴長ｌは、Ｌ＝ｌの関係になる。したがって、この場合には、曲面１２２５の樹脂の肉部は曲面の位置によらず均一になり、曲面１２２５の端部近傍の強度を中心部近傍の強度と同等まで向上させることができる。
【０１６６】
ところが、このように、曲面１２２５の鉛直方向に放熱穴１２２５ａをあける場合、樹脂成型後の金型が抜けなくなったり、抜けるような形状としても、金型形状が複雑になり金型が非常に脆くなる恐れがある（図１６（ａ）参照）。
【０１６７】
例えば、図１６（ａ）に示す金型は、図１５（ｂ）の放熱穴を有する曲面を成型するための樹脂成型金型１２５０の側面の断面図である。
【０１６８】
金型１２５０は、雌型１２５２（以下、キャビティ１２５２と言うことがある）と、雄型１２５４（以下、コア１２５４と言うことがある）と、から構成され、キャビティ１２５２が上下に摺動してコア１２５４と当接するように構成されている。
【０１６９】
高温で流動化した樹脂は、当接状態のキャビティ１２５２とコア１２５４の間に流れ込み、放熱穴１２２５ａを有する曲面１２２５が形成される。なお、同図では、キャビティ１２５２とコア１２５４の金型があるところ（同図の斜線部）は、成型後に中空部分となり、金型がない部分（白抜き）は、樹脂部（肉部）となる。
【０１７０】
キャビティ１２５２は、流れ込んだ樹脂が固まった後にコア１２５４と離れるように上昇するが、この際、図１６（ａ）の金型形状では、コア１２５４の穴部１２５５が邪魔になりキャビティ１２５２を上昇させることが困難となる。仮に金型形状を工夫してキャビティを上昇可能とすることができても、金型が脆くなって耐久性能が悪化したり、放熱穴周辺にバリが発生してしまう可能性が高くなる。
【０１７１】
そこで、図１５（ｃ）に示すように、本実施形態は曲面１２２５の強度を向上させる為に、図１５（ｂ）の放熱穴１２２５ａの穴位置と略同じ穴位置で放熱穴１２２５ａを鉛直方向で上下に２分割し、上側穴１２２５ｂと、下側穴１２２５ｃと、を設け、上側穴１２２５ｂと下側穴１２２５ｃの一部が連通するように構成している。
【０１７２】
つまり、本実施形態では、放熱穴１２２５ａは、曲面１２２５のどの位置でも穴長が略均一になるように、上側穴１２２５ｂに対して下側穴１２２５ｃを水平方向にずらして形成している（本実施形態では、曲面１２２５ａの端部に近づくほど、上側穴１２２５ｂと下側穴１２２５ｃのずれが大きくなるように構成している）。
【０１７３】
この場合、樹脂成型金型について図１６（ｂ）を用いて説明する。同図（ｂ）は、本実施形態に係る放熱穴を有する曲面を成型するための樹脂成型金型１２７０の側面の断面図である。
【０１７４】
樹脂成型金型１２７０は、キャビティ１２７２と、コア１２７４から構成され、キャビティ１２７２がコア１２７４に対して上下に摺動可能に構成されている。同図から分かるように、キャビティ１２７２側の穴部１２７３と、コア１２７４側の穴部１２７５が鉛直方向に形成されているため、キャビティ１２７２を抜く際に障害がなく、容易に抜くことができる。また、金型形状の一部に鋭角部がある等の無理がなく、耐久性を向上させることができる。
【０１７５】
したがって、放熱穴１２２５ａの穴長は、曲面１２２５のどの位置でも略同じとなり、さらに上側穴１２２５ｂと下側穴１２２５ｃは曲面１２２５に対して鉛直方向の上下に設けられているため、樹脂成型後の金型を容易に抜くことができ、金型形状も無理がなく耐久性の向上を図ることができる構造になっている。
【０１７６】
次に、図１７を用いて、本発明の第８実施形態に係る基板ユニット１３００について説明する。同図（ａ）は、第８実施形態に係る基板ケース１３２０と取付ベース１３５０の取付部分の斜視図であり、同図（ｂ）は、基板ケース１３２０の凹部１３３２の側面断面図である。
【０１７７】
第８実施形態は、所定の窪みを有する凹部１３３２が、基板ケース１３２０の回転方向に設けられ、取付者が把持し易く構成されているところに特徴がある。
【０１７８】
基板ユニット１３００は、基板ケース１３２０と、取付ベース１３５０と、から構成されている。この基板ケース１３２０は、基板ケース１３２０側に設けられた回転ヒンジ１３２６と、取付ベース１３５０側に設けられたヒンジ係合部１３５２と、が係合することにより、取付ベース１３５０に対して回転可能に組み付けられている。
【０１７９】
つまり、取付者は、基板ケース１３２０を回転させることにより、基板ケース１３２０を取付ベース１３５０から着脱させることができるようになっている。
【０１８０】
基板ケース１３２０は、上面１３３０の一部に凹部１３３２を備え、取付者は、この凹部１３３２に指を掛けることによって、基板ケース１３２０を把持し易くなっている。
【０１８１】
同図（ｂ）は、凹部１３３２を同図（ａ）の矢印Ａ方向から見た側面の断面図である。
【０１８２】
同図（ｂ）に示すように、凹部１３３２は、取付者側（開放側）に湾曲部１３３２ａと、取付ベース１３５０側に壁部１３３２ｂと、を備えた形状になっている。このように、凹部１３３２は、取付者側に湾曲部１３３２ａを備えているので、取付者が凹部１３３２に指を掛けた場合でも指による把持力を分散することができる。また、取付者も指に負担がかからないという効果がある。
【０１８３】
なお、取付ベース１３５０側の壁部１３３２ｂは、同図に示すように鉛直の壁である必要はなく、曲面等の形状でも良いことは言うまでもない。
【０１８４】
また、上面１３３０と対向する下面１３４０に、取付者の指（親指）を掛けるための、前述した凹部１３３２と同様の形態の凹部（図示省略）を形成することが好ましい。
【０１８５】
したがって、本実施形態のように、取付ベース１３５０に対して基板ケースが回転する構造の場合には、基板ケースを把持するための凹部１３３２を基板ケースの上面１３３０、上面と対向する位置に配設される下面１３４０に設け、その凹部１３３２の回転側に湾曲部を備える構造にすることで、把持の際の基板ケースへの力を分散でき、取付者の把持負担も低減させることができるという効果がある。
【０１８６】
なお、本実施形態は、取付者側に力を加えて基板ケースを把持して作業するような場合に非常に有効であり、基板ケースが回転するような場合に限定されるものではない。
【０１８７】
次に、図１８を用いて、本発明の第９実施形態に係る基板ユニット１４００について説明する。同図は、第９実施形態に係る基板ユニット１４００の斜視図である。
【０１８８】
第９実施形態は、左側基板ケース１４２０の正面（取付面と対向する面）に凸状の曲面１４２２を有し、取付者が非常に把持し易くなっているところに特徴がある。
【０１８９】
同図に示すように、基板ユニット１４００は、取付ベース７０２と、左側基板ケース１４２０と、右側基板ケース１４４０と、から構成されている。
【０１９０】
なお、取付ベース７０２は、前述した実施形態と同様の形態であるので、同一の番号を付し、詳細な説明は省略する。
【０１９１】
左側基板ケース１４２０は、プラスチック等の樹脂製の箱形部材であり、正面（取付面と対向する面）に凸状の曲面１４２２が設けられている。この曲面１４２２は、取付者（図示省略）が左側基板ケース１４２０を持った時に、手のひらに収まって左側基板ケース１４２０を摺動し易くなっている。
【０１９２】
右側基板ケース１４４０は、上面に制御基板方向に突出した凸状の曲面１４４２と、下面に突出した凸状の曲面１４４４と、を備え、取付者が把持する為に指を広げた場合、指は円状に広がるため、容易に曲面１４４２に掛けることができ、右側基板ケース１４４０を持ち易くなっていると共に、上面に降りかかった埃やゴミ、水滴が溜まらずに、下に落とすことができる。
【０１９３】
なお、曲面１４２２は、正面の全面を曲面にする必要はなく、正面の一部を曲面にしてもよい。
【０１９４】
また、曲面１４４２と対向する面（取付ベース側の面）を凸形状としてもよい。この場合、基板ケースを誤って他の部材に当ててしまった場合にその力を分散させることができるという効果がある。
【０１９５】
また、取付者が基板ケースをより持ち易くするために、左側基板ケース１４２０の上面１４２４、下面１４２６に前述した凹部１３３２と同様な形態の凹部を形成することが好ましい。
【０１９６】
次に、図１９を用いて、本発明の第１０実施形態に係る基板ケース１５００について説明する。同図（ａ）は、第１０実施形態に係る基板ケース１５００の正面図であり、同図（ｂ）は、第１０実施形態に係る基板ケース１５００を取付者１が把持した状態の正面図である。
【０１９７】
第１０実施形態は、基板ケース１５００の上面及び下面をゴム部材１５２０とし、取付者１が把持した時に、その取付者１の手（指）の形状に沿って変形するところに特徴がある。
【０１９８】
同図（ａ）に示すように、基板ケース１５００は、上面の一部がゴム材１５２０で構成されている。このゴム材１５２０は、取付者１が基板ケース１５００を把持する際に、取付者１の指の加圧力に応じた形状に変形可能となっている。
【０１９９】
同図（ｂ）は、取付者１が基板ケース１５００を把持した状態であるが、ゴム材１５２０は、指の加圧力に応じて湾曲している。なお、この湾曲の仕方は、把持する指の加圧力に応じて変わり、把持力の強い指に対応する位置のゴム材１５２０の湾曲が大きくなる。
【０２００】
なお、把持部の部材は、取付者１が把持した時に把持力に応じて変形する材質であれば良く、本実施形態のゴム材に限定されないことは言うまでもない。
【０２０１】
また、ゴム材１５２０は、取付面と対向する面（取付者側）の全面又は一部に配設してもよく、この場合でも把持し易いという効果が得られる。
【０２０２】
したがって、本実施形態によれば、遊技台用基板を被覆する基板ケース１５００の少なくとも１面がゴム材１５２０等の弾性部材で設けられているので、把持した際に加圧力に応じて変形して非常に把持し易くなるという効果がある。
【０２０３】
次に、図２０を用いて、本発明の第１１実施形態に係る基板ケース１６００について説明する。同図は、第１１実施形態に係る基板ケース１６００の斜視図である。
【０２０４】
第１１実施形態は、基板ケース１６００の最外面１６２０が曲面１６２２になっており、取付者が把持し易くなっているところに特徴がある。
【０２０５】
基板ケース１６００は、樹脂製の段付き箱形部材である。この基板ケース１６００は、取付面側に下段ケース１６２０と、取付者側（正面側）に上段ケース１６４０が形成されている。
【０２０６】
下段ケース１６２０は、基板ケース１６００の取付面側に位置し、所定の制御基板を被覆して、取付ベース（例えば、取付ベース７０２）に係止されるものである。この下段ケース１６２０は、最外面１６２０に曲面１６２２を有し、取付者が取付作業時に把持し易くなっている。
【０２０７】
なお、最外面１６２０と対向する面（下面）も同様の形態の曲面１６２２を有することが好ましい。
【０２０８】
上段ケース１６４０は、基板ケース１６００の正面側に位置し、下段ケース１６２０よりも一回り小さい箱形部材である。また、上段ケース１６４０は、制御基板（図示省略）に実装されたコネクタを基板ケース１６００から露出するための凹部１６４２、１６４４を備えている。
【０２０９】
したがって、本実施形態に係る基板ケース１６００によれば、基板ケース１６００は、最外面１６２０に曲面１６２２を有しているため、取付者（図示省略）は曲面１６２２を把持して基板ケース１６００を着脱することができるという効果がある。
【０２１０】
本実施形態は、遊技用基板（例えば、制御基板７２４）を収容する基板ケース（例えば、左側基板ケース７２０）を備えた遊技台において、前記基板ケースは、少なくとも１つの面に曲面（例えば、曲面７２７ａまたは７２７ｂ）が形成されているので、取付者は、基板ケース７２０を非常に把持し易いという効果がある。
【０２１１】
また、上記実施形態の曲面は、公知である楕円面、１葉双曲面、２葉双曲面、楕円錐面、楕円放物面、双曲放物面、楕円柱面、双曲柱面、放物柱面、その他の曲面を構成してもよく、また、同様に公知であるスプライン曲面、ベジェ曲面、トーラス面、双三次曲面、有理ベジェ曲面、Ｂスプライン曲面、NURBS曲面などで曲面を構成してもよい。また、上記曲面をメビウスの輪形状にしてもよい。
【０２１２】
また、基板ケースを取付ける基板ベース（例えば、基板ベース７０２）は、基板ケースの曲面（例えば、曲面１１２２）に対応する曲面を設けてもよい。
【０２１３】
また、基板ケースで被覆する制御基板（例えば、制御基板７０２）は、所定の大きさを有し、取付者が把持し難い、遊技の制御を行う基板（例えば、主制御基板、副制御基板、払出制御基板）であることが好ましい。
【０２１４】
また、本実施形態の基板ケースは、カシメ７２９を備え、このカシメを外すか、基板ケースを破壊しない限り、被覆する制御基板を取り出すことができない。これは、被覆される制御基板が遊技台の制御を行うのに基本的な重要基板であり、このため、基板ケースを破壊し難くするため基板ケースに曲面を設けているのである。
【０２１５】
また、前記基板ケースは、複数の角部（例えば、角部７２８ａ〜７２８ｈ）を結ぶことで形成される複数の面（例えば、仮想平面７２８ｊ、平面７２８ｋ）で構成され、前記曲面は、前記複数の面のうち、いずれかの面（例えば、仮想平面７２８ｊ）であるので、取付者は、基板ケース７２０を非常に把持し易いという効果がある。
【０２１６】
また、前記基板ケースは、第１の曲面（例えば、曲面７２７ａ）と、該第１の曲面と対向して形成された第２の曲面（例えば、曲面７２７ｂ）と、を有する構成としているので、取付者は、基板ケース７２０を非常に把持し易いという効果がある。
【０２１７】
また、前記曲面は、前記基板ケースの長手方向に対する側面側（例えば、基板ケース７２０の上面）に形成されているので、取付者は、基板ケース７２０を着脱方向に移動させ易いという効果がある。
【０２１８】
また、第１の曲面（例えば、上側曲面８２２）は、１又は複数形成され、第２の曲面（例えば、下側曲面８２４）は、１又は複数形成され、前記基板ケースを取り扱う際に、前記基板ケースを把持し易いように、前記第１の曲面及び前記第２の曲面を所定の形状または間隔で形成する構成としているので、取付者は、基板ケース７２０を非常に把持し易いという効果がある。
【０２１９】
また、前記遊技用基板（例えば、制御基板７２４）には、外形の少なくとも一部が湾曲して形成された回路部品（例えば、円形コネクタ７２５）が実装され、前記曲面は、前記回路部品の外形に沿った曲面（例えば、曲面１０２２）であるので、実装部品の最適化ができ、制御基板７２４の省スペース化を図ることができるという効果がある。
【０２２０】
また、前記曲面は、該曲面を形成する角部を平面となるように結んで形成される仮想平面（例えば、仮想平面７２８ｊ）に対して基板ケース内部方向に窪んだ凹形状であるので、前記曲面が取付者の指にフィットし、基板ケースの取付作業を効率よく行うことができるという効果がある。
【０２２１】
また、曲面（例えば、曲面１１２２）は、該曲面を形成する角部を平面となるように結んで形成される仮想平面（例えば、仮想平面７２８ｊ）に対して基板ケースの外側に突出した凸形状であるので、左側基板ケース１１２０の上面に降りかかった埃やゴミ、水滴を曲面で受け流して落とすことができるという効果がある。
【０２２２】
前記仮想平面は、前記取り付け又は取り外し方向と平行な面であるので、取付者は曲面（例えば、７２７ａ、７２７ｂ）を把持し易いという効果がある。
【０２２３】
また、前記曲面は、前記基板ケースの取付け面に対して垂直方向に設けられた側面側に形成されているので、左側基板ケース１１２０の上面に降りかかった埃やゴミ、水滴を曲面で受け流して落とすことができるという効果がある。
【０２２４】
また、曲面は、前記基板ケースの取付け面と対向する側に形成されている（例えば、左側基板ケース８７０に設けられた曲面８７２）ので、取付者は、基板ケース８２０を非常に把持し易いという効果がある。
【０２２５】
また、前記曲面は、前記基板ケース（例えば、基板ケース９００）の取付け面に形成されている（例えば、ベース部材９１０の取付面９１２）ので、不注意で基板ケース９００を取付ベース７０２等に当ててしまった場合でも、取付面９１２の曲面により衝撃を分散することができるという効果がある。
【０２２６】
また、前記曲面は、最外面（例えば、下段ケース１６２０の曲面１６２２）に形成されているので、取付者は、基板ケース１６００を非常に把持し易いという効果がある。
【０２２７】
また、前記基板ケース（例えば、左側基板ケース１０２０）は、前記遊技用基板に実装される回路部品（例えば、円形コネクタ７２５）を該基板ケースの外部に露出するための凹部を備え、前記凹部には、該凹部の少なくとも１つの面に曲面（例えば、曲面１０２２）が形成されているので、最適な形状のコネクタを使用でき、制御基板を省スペース化することができるという効果がある。
【０２２８】
また、前記基板ケースは、球形状（例えば、基板ケース９００）であるので、外部から不意に印加された衝撃をあらゆる角度で受け流すことができ、基板ケース９００の破損を防止できるという効果がある。
【０２２９】
また、前記曲面（例えば、曲面１２２５）には、複数の放熱穴（例えば、放熱穴１２２５ａ）が設けられているので、寒冷時での作業において、取付者の手がかじかむことがなく、右側基板ケース１２２０を確実に把持することができるという効果がある。
【０２３０】
また、前記放熱穴の長さは、前記基板ケースの肉厚と略一致しているので、基板ケースの強度を向上させることができるという効果がある。
【０２３１】
また、前記放熱穴は、下側穴（例えば、下側穴１２２５ｃ）と、上側穴（例えば、上側穴１２２５ｂ）からなり、前記下側穴と前記上側穴は、軸方向の少なくとも一部において連通するように配置され、前記下側穴の長さと前記上側穴の長さを加えた穴長さは、複数の放熱穴で全て同じであるので、基板ケースの強度を向上させることができるという効果がある。
【０２３２】
また、複数種類の図柄が施された複数のリールと、前記複数のリールの回転を開始させるスタートスイッチと、前記複数のリールのそれぞれに対応して設けられ、前記リールの回転を個別に停止させるストップスイッチと、予め定められた複数種類の入賞役の内部当選の当否を抽選により判定する抽選手段と、停止された前記複数のリールによって表示される図柄の組合せが、前記抽選手段により内部当選した入賞役に対応する図柄の組合せであるか否かにより前記入賞役の入賞の当否を判定する判定手段と、を備えた構成としているので、本実施形態をスロットマシンに利用できるという効果がある。
【０２３３】
また、所定の入賞口を有する遊技盤をさらに備え、前記所定の入賞口に遊技球が入球することにより、所定の特典を与える構成としているので、本実施形態をパチンコ機で利用できるという効果がある。
【０２３４】
また、上記実施例においては、遊技球を遊技媒体としたパチンコ機の例を示したが、本発明はこれに限定されるものではなく、例えば、メダル（コイン）を遊技媒体としたスロットマシンなどにも適用可能である。以下、スロットマシンの一例について説明する。
【０２３５】
＜全体構成＞
【０２３６】
まず、図２１を用いて、スロットマシン１７００の全体構成について説明する。なお、同図はスロットマシン１７００の外観斜視図を示したものである。
【０２３７】
スロットマシン１７００は、略箱状の本体１７０１と、この本体１７０１の前面開口部に取り付けられた前面扉１７０２とを有して構成されている。スロットマシン１７００の本体１７０１の中央内部には、外周面に複数種類の図柄が所定コマ数だけ配置されたリールが３個（左リール１７１０、中リール１７１１、右リール１７１２）収納され、スロットマシン１７００の内部で回転できるように構成されている。各図柄は帯状部材に等間隔で適当数印刷され、この帯状部材が所定の円形枠材に貼り付けられて各リール１７１０乃至１７１２が構成されている。リール１７１０乃至１７１２上の図柄は、遊技者から見ると、図柄表示窓１７１３から縦方向に概ね３つ表示され、合計９つの図柄が見えるようになっている。そして、各リール１７１０乃至１７１２を回転させることにより、遊技者から見える図柄の組み合せが変動することとなる。
【０２３８】
また、図柄表示窓１７１３の外枠には、点滅や点灯などの点灯制御によって、後述する有効ラインや入賞ラインを報知するためのライン表示ＬＥＤ（図示省略）が配置されている。
【０２３９】
さらに、スロットマシン１７００内部において各々のリール１７１０乃至１７１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１７１４上に表示されるようにリール１７１０乃至１７１２を停止させる。
【０２４０】
入賞ライン表示ランプ１７２０は、有効となる入賞ラインを示すランプである。有効となる入賞ラインは、スロットマシン１７００に投入されたメダルの数によって予め定まっている。５本の入賞ライン１７１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１７１４の数については５本に限定されるものではない。
【０２４１】
スタートランプ１７２１は、リール１７１０乃至１７１２が回転することができる状態にあることを遊技者に知らせるランプである。再遊技ランプ１７２２は、前回の遊技において入賞役の一つである再遊技役に入賞した場合に、今回の遊技が再遊技可能であること（メダルの投入が不要であること）を遊技者に知らせるランプである。告知ランプ１７２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１７２４は、メダルの投入が可能であることを知らせるランプである。払出枚数表示器１７２５は、何らかの入賞役に入賞した結果、遊技者に払出されるメダルの枚数を表示するための表示器である。遊技回数表示器１７２６は、メダル投入時のエラー表示や、ビッグボーナスゲーム中（ＢＢゲーム中）の遊技回数、所定の入賞役の入賞回数等を表示するための表示器である。貯留枚数表示器１７２７は、スロットマシン１７００に電子的に貯留されているメダルの枚数を表示するための表示器である。リールパネルランプ１７２８は、演出用のランプである。
【０２４２】
メダル投入ボタン１７３０、１７３１は、スロットマシン１７００に電子的に貯留されているメダルを所定の枚数分投入するためのボタンである。この例では、メダル投入ボタン１７３０が押下される毎に１枚ずつ最大３枚まで投入され、メダル投入ボタン１７３１が押下されると３枚投入されるようになっている。メダル投入口１７３４は、遊技を開始するに当たって遊技者がメダルを投入するための投入口である。すなわち、メダルの投入は、メダル投入ボタン１７３０又は１７３１により電子的に投入することもできるし、メダル投入口１７３４から実際のメダルを投入することもできる。精算ボタン１７３２は、スロットマシン１７００に電子的に貯留されたメダル及びベットされたメダルを精算し、メダル払出口１７５５よりメダル受皿１７５６に排出するためのボタンである。メダル返却ボタン１７３３は、投入されたメダルが詰まった場合に押下してメダルを取り除くためのボタンである。
【０２４３】
スタートレバー１７３５は、遊技の開始操作を行うためのレバー型のスイッチである。即ち、メダル投入口１７３４に所望する枚数のメダルを投入して、スタートレバー１７３５を操作すると、これを契機としてリール１７１０乃至１７１２が回転し、遊技が開始される。ストップボタン１７３７乃至１７３９は、スタートレバー１７３５の操作によって回転を開始したリール１７１０乃至１７１２に対する停止操作を行うためのボタンであり、各リール１７１０乃至１７１２に対応して設けられている。そして、いずれかのストップボタン１７３７乃至１７３９を操作すると対応するいずれかのリール１７１０乃至１７１２が停止することになる。
【０２４４】
ドアキー孔１７４０は、スロットマシン１７００の前面扉１７０２のロックを解除するためのキーを挿入する孔である。メダル払出口１７５５は、メダルを払出すための払出口である。メダル受皿１７５６は、メダル払出口１７５５から払出されたメダルを溜めるための器である。なお、メダル受皿１７５６は、本実施例１では発光可能な受皿を採用している。
【０２４５】
上部ランプ１７５０、サイドランプ１７５１、中央ランプ１７５２、腰部ランプ１７５３、下部ランプ１７５４は、遊技を盛り上げるための装飾用のランプである。演出装置１７９０は、例えば開閉自在な扉装置（シャッター）１７６３が前面に取り付けられた液晶表示装置を含み、この演出装置１７９０には、例えば小役告知等の各種の情報が表示される。音孔１７６０は、スロットマシン１７００内部に設けられているスピーカの音を外部に出力するための孔である。タイトルパネル１７６２には、スロットマシン１７００を装飾するための図柄が描かれる。
【０２４６】
＜制御部＞
【０２４７】
次に、図２２を用いて、このスロットマシン１７００の主制御部１８００の回路構成について詳細に説明する。なお、同図は主制御部１８００の回路ブロック図を示したものである。
【０２４８】
スロットマシン１７００の制御部は、大別すると、遊技の中枢部分を制御する主制御部１８００と、主制御部１８００が送信したコマンドに応じて各種機器を制御する副制御部１９００とからなる。
【０２４９】
主制御部１８００は、主制御部１８００の全体を制御するための演算処理装置であるＣＰＵ１８１０や、ＣＰＵ１８１０が各ＩＣや各回路と信号の送受信を行うためのデータバス及びアドレスバスを備え、その他、以下に述べる構成を有する。クロック補正回路１８１４は、水晶発振器１８１１が発振したクロックを分周してＣＰＵ１８１０に供給する回路である。例えば、水晶発振器１８１１の周波数が１２ＭＨｚの場合に、分周後のクロックは６ＭＨｚとなる。ＣＰＵ１８１０は、クロック補正回路１８１４により分周されたクロックをシステムクロックとして受け入れて動作する。
【０２５０】
また、ＣＰＵ１８１０には、センサやスイッチの状態を常時監視するためのタイマ割り込み処理の周期やモータの駆動パルスの送信周期を設定するためのタイマ回路１８１５をバスを介して接続している。ＣＰＵ１８１０は、電源が投入されると、データバスを介してＲＯＭ１８１２の所定エリアに格納した分周用のデータをタイマ回路１８１５に送信する。タイマ回路１８１５は、受信した分周用のデータを基に割り込み時間を決定し、この割り込み時間ごとに、割り込み要求をＣＰＵ１８１０に送信する。ＣＰＵ１８１０は、この割込み要求を契機に、各センサ等の監視や駆動パルスの送信を実行する。例えば、ＣＰＵ１８１０のシステムクロックを６ＭＨｚ、タイマ回路１８１５の分周値を１／２５６、ＲＯＭ１８１２の分周用のデータを４４に設定した場合、この割り込みの基準時間は、２５６×４４÷６ＭＨｚ＝１．８７７ｍｓとなる。
【０２５１】
さらに、ＣＰＵ１８１０には、各ＩＣを制御するためのプログラム、入賞役の内部抽選時に用いる抽選データ、リールの停止位置等の各種データを記憶しているＲＯＭ１８１２や、一時的なデータを保存するためのＲＡＭ１８１３を接続している。なお、これらのＲＯＭ１８１２やＲＡＭ１８１３については他の記憶手段を用いてもよく、この点は後述する副制御部１９００においても同様である。
【０２５２】
また、ＣＰＵ１８１０には、外部の信号を受信するための入力インタフェース１８６０を接続し、割込み時間ごとに入力インタフェース１８６０を介して、メダル投入センサ１８２０、スタートレバーセンサ１８２１、ストップボタンセンサ１８２２、メダル投入ボタンセンサ１８２３、精算スイッチセンサ１８２４、メダル払出センサ１８２６の状態を検出し、各センサを監視している。
【０２５３】
スタートレバーセンサ１８２１はスタートレバー１７３５の操作を検出するためのセンサである。ストップボタンセンサ１８２２はストップボタン１７３７〜１７３９のいずれかが押された場合、どのストップボタンが押されたかを検出するためのセンサである。メダル投入ボタンセンサ１８２３はメダル投入ボタン１７３０、１７３１のいずれかが押下された場合、どのメダル投入ボタンが押されたかを検出するためのセンサである。精算スイッチセンサ１８２４は、精算ボタン１７３２に設けており、精算ボタン１７３２が一回押されると、貯留しているメダル及びベットしているメダルを精算して払い出すことになる。
【０２５４】
ＣＰＵ１８１０には、さらに、入力インタフェース１８６１、出力インタフェース１８７０、１８７１をアドレスデコード回路１８５０を介してアドレスバスに接続している。ＣＰＵ１８１０は、これらのインタフェースを介して外部のデバイスと信号の送受信を行っている。入力インタフェース１８６１には、インデックスセンサ１８２５を接続しており、インデックスセンサ１８２５は、リール１７１０〜１７１２に設けた遮光片が通過するたびにハイレベルになる。ＣＰＵ１８１０は、この信号を検出すると、リールが１回転したものと判断し、リールの回転位置情報をゼロにリセットする。出力インタフェース１８７０には、リールを駆動させるためのモータを制御するリールモータ駆動部１８３０と、ホッパー１７７２のモータを駆動するためのホッパーモータ駆動部１８３１と、遊技ランプ１８４０（入賞ライン表示ランプ１７２０、スタートランプ１７２１、再遊技ランプ１７２２、告知ランプ１７２３、メダル投入ランプ１７２４等）と、７セグメント（ＳＥＧ）表示器１８４１（払出枚数表示器１７２５、遊技回数表示器１７２６、貯留枚数表示器１７２７等）と、後述する外部集中端子板１９５０を接続している。
【０２５５】
また、ＣＰＵ１８１０には、水晶発信器１８１６が出力するクロック信号を受信する度に０〜６５５３５の範囲で数値を変動させるハードウェア乱数カウンタとして使用しているカウンタ回路１８１８と、このカウンタ回路１８１８が生成するハードウェア乱数を取得・保持するラッチ回路１８１７を接続している。
【０２５６】
また、ＣＰＵ１８１０のデータバスには、副制御部１９００にコマンドを送信するための出力インタフェース１８７１を接続している。主制御部１８００と副制御部１９００との情報通信は一方向の通信であり、主制御部１８００は副制御部１９００へコマンドを送信するが、副制御部１９００から主制御部１８００へ何らかのコマンド等を送信することはできない。
【０２５７】
このようなスロットマシン１７００に本発明を適用し、ＣＰＵ（例えば、ＣＰＵ１８１０）からＩ／Ｏ空間を介してアクセス可能な第１の記憶領域（例えば、ＲＡＭ１８１３のＩ／Ｏ空間対応記憶領域）を少なくとも有する記憶手段（例えば、ＲＡＭ１８１３）を備えたスロットマシン１７００としてもよい。
【０２５８】
このようなスロットマシン１７００によれば、制御基板等の基板を被覆する基板ケース（図示省略）を破損することを予防し得るスロットマシンを提供できるという効果がある。
【産業上の利用可能性】
【０２５９】
本発明は、スロットマシンやパチンコ等に代表される遊技台の分野に適用することができる。
【図面の簡単な説明】
【０２６０】
【図１】第１実施形態のパチンコ機１００を正面側（遊技者側）から見た外観斜視図である。
【図２】遊技盤１０２を正面から見た略示正面図である。
【図３】（ａ）特図の停止表示態様の一例を示したものである。（ｂ）装飾図柄の一例を示したものである。（ｃ）普図の停止表示態様の一例を示したものである。
【図４】制御部の回路ブロック図を示したものである。
【図５】パチンコ機１００を背面（遊技者と反対側）から見た外観斜視図である。
【図６】基板ユニット７００の斜視図である。
【図７】（ａ）左側基板ケース７２０の分解斜視図であり、（ｂ）左側基板ケース７２０の斜視図であり、（ｃ）角部７２８ａ〜ｈと仮想平面７２８ｊ、平面７２８ｋの説明図である。
【図８】（ａ）取付者１が、取付ベース７０２に左側基板ケース７２０をスライドさせている図であり、（ｂ）取付ベース７０２に左側基板ケース７２０が係止された図である。
【図９】（ａ）第２実施形態に係る左側基板ケース８２０を有する基板ユニット８００の正面図であり、（ｂ）取付者１が左側基板ケース８２０を取付ベース７０２から外す場合の基板ユニット８００の正面図であり、（ｃ）左側基板ケース８２０が取付ベース７０２に対して矢印Ａ方向にスライドした状態の図である。
【図１０】第３実施形態に係る基板ユニット８５０の斜視図である。
【図１１】第４実施形態にかかる基板ケース９００の分解斜視図である。
【図１２】（ａ）第５実施形態に係る基板ユニット１０００の斜視図であり、（ｂ）第５実施形態に係る基板ユニット１０００の取付者側から見た正面図である。
【図１３】第６実施形態に係る基板ユニット１１００の斜視図である。
【図１４】第７実施形態に係る基板ユニット１２００の斜視図である。
【図１５】（ａ）放熱穴１２２５ａを曲面１２２５の鉛直方向に明けた場合の放熱穴１２２５ａの側面断面図であり、（ｂ）放熱穴１２２５ａを曲面１２２５の垂直方向に明けた場合の放熱穴１２２５ａの側面断面図であり、（ｃ）は、（ｂ）の放熱穴１２２５ａの穴位置と同じ位置で、曲面１２２５の上下方向の両側から鉛直方向に明けた場合の放熱穴１２２５ａの側面断面図である。
【図１６】（ａ）図１４（ｂ）の放熱穴を有する曲面を成型するための樹脂成型金型１２５０の側面の断面図であり、（ｂ）本実施形態に係る放熱穴を有する曲面を成型するための樹脂成型金型１２７０の側面の断面図である。
【図１７】（ａ）第８実施形態に係る基板ケース１３２０と取付ベース１３５０の取付部分の斜視図であり、（ｂ）基板ケース１３２０の把持部１３２２の側面断面図である。
【図１８】第９実施形態に係る基板ユニット１４００の斜視図である。
【図１９】（ａ）第１０実施形態に係る基板ケース１５００の正面図であり、（ｂ）第１０実施形態に係る基板ケース１５００を取付者１が把持した状態の正面図である。
【図２０】第１１実施形態に係る基板ケース１６００の斜視図である。
【図２１】スロットマシンの外観斜視図を示したものである。
【図２２】同スロットマシンの主制御部の回路ブロック図を示したものである。
【符号の説明】
【０２６１】
１      取付者
１００  パチンコ機
３００  主制御部
４００  副制御部
７００  基板ユニット
７０２  取付ベース
７２０  左側基板ケース
７４０  右側基板ケース
７２７ａ  曲面
７２７ｂ  曲面
【図１】
2009254724.tif 000003
【図２】
2009254724.tif 000004
【図３】
2009254724.tif 000005
【図４】
2009254724.tif 000006
【図５】
2009254724.tif 000007
【図６】
2009254724.tif 000008
【図７】
2009254724.tif 000009
【図８】
2009254724.tif 000010
【図９】
2009254724.tif 000011
【図１０】
2009254724.tif 000012
【図１１】
2009254724.tif 000013
【図１２】
2009254724.tif 000014
【図１３】
2009254724.tif 000015
【図１４】
2009254724.tif 000016
【図１５】
2009254724.tif 000017
【図１６】
2009254724.tif 000018
【図１７】
2009254724.tif 000019
【図１８】
2009254724.tif 000020
【図１９】
2009254724.tif 000021
【図２０】
2009254724.tif 000022
【図２１】
2009254724.tif 000023
【図２２】
2009254724.tif 000024